(57)【要約】【課題】雨滴センサとオートライトセンサを１つの撮像装置で兼用しながらも、高精度に雨滴の有無および明暗判定を行うことができる車両用撮像装置を提供する。【解決手段】カメラ１１の撮像領域は、車両前方に向けられている。カメラ１１の撮像領域の下半分が雨滴付着判定領域（本発明の第１撮像領域）となり、カメラ１１の撮像領域の上半分が明暗判定領域（本発明の第２撮像領域）となる。レンズ１２の前方には、雨滴付着判定領域と明暗判定領域の境界に遮光手段である仕切り１４が設けられている。仕切り１４により、ＬＥＤ１６の発する光が明暗判定領域に照射されず、明暗判定領域からの外光等が雨滴付着判定領域に照射されないため、１つの撮像素子で雨滴付着判定と明暗判定を高精度に実現することができる。【選択図】図１
2010208451.tif 000002
【特許請求の範囲】
【請求項１】
フロントガラスに向けて車室内に設置される第１撮像領域および第２撮像領域を有する撮像手段と、
前記フロントガラスを介して前記第１撮像領域に光を照射する照明手段と、
前記第１撮像領域と前記第２撮像領域との境界に設けた遮光手段と、
を備えた車両用撮像装置において、
前記第１撮像領域から入力された撮像情報に基づいて、前記フロントガラスの雨滴の有無を判定する雨滴判定手段と、
前記第２撮像領域から入力された撮像情報に基づいて、車両周囲の明暗を判定する明暗判定手段と、
を備えたことを特徴とする車両用撮像装置。
【請求項２】
前記フロントガラスの反射面に拡散板を設けたことを特徴とする請求項１に記載の車両用撮像装置。
【請求項３】
前記第２撮像領域は、前記第１撮像領域より上方向に設けられていることを特徴とする請求項１または請求項２に記載の車両用撮像装置。
【請求項４】
前記第２撮像領域の前面に光学案内板を設け、前記第２撮像領域のうち、一部の撮像領域に対して、上下方向に異なる方向の光を入力させることを特徴とする請求項１、請求項２、または請求項３に記載の車両用撮像装置。
【発明の詳細な説明】
【技術分野】
【０００１】
この発明は、撮像素子を使用して雨滴の有無および車両周囲の明暗を判定する車両用撮像装置に関する。
【背景技術】
【０００２】
従来、フロントガラスに付着した雨滴を検出する装置が複数提案されている（例えば特許文献１、２を参照）。特許文献１の装置は、フロントガラス下側から照明を照射し、雨滴によるフロントガラスの反射率の変化をカメラで検出するものである。特許文献２の装置は、フロントガラスに半透明のスクリーンを取り付け、スクリーン近傍の画像を撮像し、雨滴の有無を判断するものである。
【０００３】
また、特許文献３には、雨滴検出用のセンサを用いて明暗判定を行い、オートライト制御を行う装置が記載されている。明暗判定用の装置としては、例えば特許文献４に記載されているように、撮像素子を用いる例が提案されている。
【０００４】
また、オートライト制御は、夜間だけでなく、トンネルの出入り口においても行う必要がある。トンネルの有無を判定してオートライト制御を行うものとしては、特許文献５や特許文献６のような装置がある。特許文献５の装置は、プリズムを使用して異なる方向から光を入射させ、車両前方と車両周囲の照度をそれぞれ別のフォトダイオードで検出することで、トンネルの有無を判定するものである。また、特許文献６には、通常のオートライト制御用照度センサとは別に、トンネル検出用の照度センサを設けた例が記載されている。
【先行技術文献】
【特許文献】
【０００５】
【特許文献１】特開２００６−２８４５５５号公報
【特許文献２】特開平１０−９０１８８号公報
【特許文献３】特開２００１−２０６２０１号公報
【特許文献４】特開平５−１８５８７１号公報
【特許文献５】実公平４−４８５０４号公報
【特許文献６】特開２００５−１９９９７４号公報
【発明の概要】
【発明が解決しようとする課題】
【０００６】
この発明は、雨滴センサとオートライトセンサを１つの撮像装置で兼用しながらも、高精度に雨滴の有無および明暗判定を行うことができる車両用撮像装置を提供することを目的とする。
【課題を解決するための手段】
【０００７】
この発明の車両用撮像装置は、フロントガラスに向けて車室内に設置される第１撮像領域および第２撮像領域を有する撮像手段と、前記フロントガラスを介して前記第１撮像領域に光を照射する照明手段と、前記第１撮像領域と前記第２撮像領域との境界に設けた遮光手段と、を備えた車両用撮像装置において、前記第１撮像領域から入力された撮像情報に基づいて、前記フロントガラスの雨滴の有無を判定する雨滴判定手段と、前記第２撮像領域から入力された撮像情報に基づいて、車両周囲の明暗を判定する明暗判定手段と、を備えたことを特徴とする。
【０００８】
このように、車両用撮像装置は、撮像手段の撮像領域を雨滴判定用の第１撮像領域と明暗判定用の第２撮像領域に分け、１つの撮像手段で雨滴の有無および明暗判定を行う。この際、第１撮像領域と第２撮像領域の境界に遮光手段を設けたことで、照明手段の光が第２撮像領域に進入することを防ぐとともに、太陽等の外光が第１撮像領域に進入することを防ぐ。
【０００９】
また、上記発明において、前記フロントガラスの反射面に拡散板を設けてもよい。拡散板を設けることにより、第１撮像領域において車両前方の背景が雨滴判定に影響する度合いを低減することができる。
【００１０】
また、上記発明において、前記第２撮像領域は、前記第１撮像領域より上側に設けられていることを特徴とする。
【００１１】
また、上記発明において、前記第２撮像領域の前面に光学案内板を設け、前記第２撮像領域のうち、一部の撮像領域に対して、上下方向に異なる方向の光を入力させるようにしてもよい。
【発明の効果】
【００１２】
この発明によれば、雨滴センサとオートライトセンサを１つの撮像装置で兼用しながらも、高精度に雨滴の有無および明暗判定を行うことができる。
【図面の簡単な説明】
【００１３】
【図１】車両用撮像装置の構成を示す図である。
【図２】カメラ１１が撮像した昼間の画像を示す図である。
【図３】カメラ１１が撮像した夕刻の画像を示す図である。
【図４】カメラ１１が撮像した夜間の画像を示す図である。
【図５】明暗を判定し、その結果に基づいて点灯・消灯の制御を示すフローチャートである。
【図６】カメラ１１が撮像したトンネル入り口付近の画像を示す図である。
【図７】カメラ１１が撮像した画像（雨滴の有無）を示す図である。
【図８】雨滴の付着を判定し、その結果に基づいて、ワイパーを使用した払拭の制御を示すフローチャートである。
【図９】閾値判定を説明する図である。
【図１０】導光体を備えた車両用撮像装置を示す図である。
【図１１】導光体を説明する図である。
【図１２】導光体を説明する図である。
【発明を実施するための形態】
【００１４】
以下、図面を参照してこの発明の車両用撮像装置に係る実施形態について説明する。図１は、車両用撮像装置の構成を示す図である。同図（Ａ）は、車両用撮像装置を側面から見た図であり、同図（Ｂ）は、正面から見た図である。車両用撮像装置は、フロントガラスの雨滴付着判定および車両周囲の明暗判定を行い、ワイパー制御や前照灯の点灯制御（オートライト制御）を行う。
【００１５】
図１（Ａ）、および同図（Ｂ）に車両用撮像装置１が示されている。図１（Ａ）は車両用撮像装置１の側面図を示す。図１（Ｂ）は車両用撮像装置１の正面図を示す。図１に、車両用撮像装置１は、撮像手段であるカメラ１１、車両前方からの光をカメラ１１に入射するレンズ１２、車両前方からの入射光を拡散する拡散板１３、遮光手段である仕切り１４、照明手段であるＬＥＤ１６、および制御部１７を備えている。カメラ１１およびＬＥＤ１６は、制御部１７に接続されている。
【００１６】
車両用撮像装置１は、車室内において、フロントガラス２の近傍（例えばルームミラーの裏側等）に取り付けられている。カメラ１１の撮像領域は、車両前方に向けられている。拡散板１３は、カメラ１１の撮像領域の一部（本実施形態では下半分）を覆うようにフロントガラス２に沿って取り付けられている。拡散板１３は、フロントガラス２の反射面に接着させてもよいし、反射面付近のフロントガラス内に埋め込んでもよい。また、レンズ１２の焦点は、フロントガラス２付近に合わせられている。
【００１７】
カメラ１１の撮像領域の下半分（拡散板で覆われる領域）が雨滴付着判定領域（本発明の第１撮像領域）となる。また、カメラ１１の撮像領域の上半分が明暗判定領域（本発明の第２撮像領域）となる。なお、雨滴付着判定領域と明暗判定領域は同じ面積であってもよいし、いずれか一方が広くてもよい。
【００１８】
また、仕切り１４は、フロントガラス２からレンズ１２にかけて、雨滴付着判定領域と明暗判定領域の境界上に沿って設置されている。ＬＥＤ１６は、フロントガラス２に付着した雨滴を照らすための光を照射するものであり、主に夜間の雨滴付着判定用に用いられる。本実施形態の車両用撮像装置１は、仕切り１４により、ＬＥＤ１６の光が明暗判定領域に進入することを防ぐとともに、太陽等の外光が雨滴付着判定領域に進入することを防ぐようになっている。
【００１９】
図２は、カメラ１１が撮像した昼間の画像を示す図である。図３は、カメラ１１が撮像した夕刻の画像を示す図であり、図４は、カメラ１１が撮像した夜間の画像を示す図である。図２〜図４に示すように、カメラ１１の撮像領域の下半分は、拡散板１３により車両前方からの入射光が拡散透過するため、車両前方の画像が撮像されない。また、レンズ１２の焦点がフロントガラス２の付近に合わせられているため、フロントガラス２に付着する雨滴がくっきりと撮像されるようになっている（図７（Ｂ）を参照）。よって、本実施形態の車両用撮像装置１は、雨滴付着判定を精度良く行うことができる。
【００２０】
また、カメラ１１の撮像領域の上半分は、レンズ１２の焦点がフロントガラス２の付近に合わせられているため、車両前方の画像がぼやけて撮像される。制御部１７は、後述するように明暗判定領域において明るさについての画像処理のみ行うものである。レンズ１２の焦点が車両前方から外れていても、明るさの画像処理には影響せず、明暗判定を精度良く行うことができる。
【００２１】
カメラ１１が撮像した画像（撮像情報）は、制御部１７に入力される。制御部１７は、入力された画像から雨滴付着判定および明暗判定を行う。まず、明暗判定について説明する。図５は、明暗を判定し、その結果に基づいて、車幅灯・前照灯の点灯・消灯の制御を示すフローチャートである。
【００２２】
まず、制御部１７は、カメラ１１から画像を取得する（ｓ１１）。そして、制御部１７は、入力された画像の上半分（明暗判定領域）を切り出し、画像平均処理を行う（ｓ１２）。画像平均処理は、複数の画素からなる所定領域毎（最大では撮像素子の画素単位毎）に明度を求め、求めた明度の平均値を算出する処理である。その後、制御部１７は、算出した平均値から昼間、夕刻、夜間の判定を行い、オートライト制御を行う。
【００２３】
すなわち、制御部１７は、画像平均処理において算出した平均値が閾値Ａより大きいか否かを判定する（ｓ１３）。制御部１７は、平均値が閾値Ａより大きい場合、昼間であると判定して車両のライト（車幅灯および前照灯）をオフする（ｓ１４）。
【００２４】
一方、制御部１７は、平均値が閾値Ａ以下であると判定した場合、さらに平均値が閾値Ｂより大きいか否か（ただし、Ａ＞Ｂとする。）を判定する（ｓ１５）。制御部１７は、平均値が閾値Ｂよりも大きい場合、夕刻であると判定して車両の車幅灯を点灯する（ｓ１６）。また、制御部１７は、平均値が閾値Ｂ以下であると判定した場合、夜間であると判定して前照灯を点灯する（ｓ１７）。
【００２５】
なお、明暗判定の手法は、上記例に限るものではない。例えば、各所定領域の明度がしきい値以上の場合に「明」と判定し、しきい値未満の場合に「暗」と判定し、「明」と判定された画素の数や「暗」と判定された画素の数から明暗判定を行ってもよい。
【００２６】
また、制御部１７は、トンネル有無の判定を行うこともできる。図６は、カメラ１１が撮像したトンネル入り口付近の画像を示す図である。車両前方にトンネルが存在すると、一部が「明」と判定され、一部が「暗」と判定される画像が撮像される。そこで、制御部１７は、例えば「明」と「暗」が交互に存在するような画像が入力された場合、前方にトンネルが存在すると判定し、前照灯を点灯する。この場合、トンネルに入る前に前照灯を点灯させることができる。
【００２７】
次に、雨滴付着判定について説明する。図７は、カメラ１１が撮像した画像（雨滴の有無）を示す図である。同図（Ａ）は、晴天時にカメラ１１が撮像した画像であり、フロントガラス２に雨滴が付着していない場合を示している。同図（Ｂ）は、雨天時にカメラ１１が撮像した画像であり、フロントガラス２に雨滴が付着した場合を示している。同図（Ｂ）に示すように、レンズ１２の焦点はフロントガラス２の付近に合わせられているため、付着した雨滴がくっきりと撮像される。
【００２８】
図８は、雨滴の付着を判定し、その結果に基づいて、ワイパー使用した払拭の制御を示すフローチャートである。まず、制御部１７は、カメラ１１から画像を取得する（ｓ２１）。そして、制御部１７は、入力された画像の下半分（雨滴付着判定領域）を切り出し、エッジ強調などのフィルタ処理を行う（ｓ２２）。制御部１７は、フィルタ処理の後、閾値処理を行う（ｓ２３）。
【００２９】
図９は、閾値処理を説明する図である。同図（Ａ）、および同図（Ｂ）に示すヒストグラムの横軸は画素値（中間値を０とし、−１２８〜１２７の２５６階調とする。）である。同図（Ａ）は、晴天時のヒストグラムを示し、同図（Ｂ）は、雨天時のヒストグラムを示している。
【００３０】
晴天時の場合、雨滴付着判定領域には何も撮像されないため、画素値が±０付近に集中する。一方で、雨天時の場合、ＬＥＤ１６の光が乱反射し、閾値を超える（閾値Ｔｈ１より大きいまたは閾値Ｔｈ２より小さい）画素値が複数現れる。そこで、制御部１７は、閾値処理において、複数の画素からなる所定の領域毎（最大では撮像素子の画素単位毎）に画素値を求め、閾値を超える領域数を数える。
【００３１】
次に、図８において、制御部１７は、数えた領域数が閾値Ｃより小さいか否かを判断する（ｓ２４）。制御部１７は、数えた領域数が閾値Ｃより小さければ、フロントガラス２に雨滴が付着していないと判断してワイパーをオフする（ｓ２５）。制御部１７は、数えた領域数が閾値Ｃ以上と判断した場合、さらに閾値Ｄより小さいか否か（ただし、Ｃ＜Ｄとする。）を判断する（ｓ２６）。制御部１７は、閾値Ｄより小さい場合、雨滴が付着し、雨の量が少ない時であると判断して、ワイパーを間欠動作とする（ｓ２７）。また、制御部１７は、数えた領域数が閾値Ｄ以上と判断した場合、さらに閾値Ｅより小さいか否か（ただし、Ｄ＜Ｅとする。）を判断する（ｓ２８）。制御部１７は、閾値Ｅより小さい場合、雨滴が付着し、雨の量が多い時であると判断して、ワイパーを連続動作とする（ｓ２９）。制御部１７は、数えた領域数が閾値Ｅ以上であれば、雨滴が付着し、かつ雨が激しい時であると判断してワイパーを高速動作とする（ｓ３０）。
【００３２】
以上のようにして、本実施形態の車両用撮像装置１は、１つの撮像素子で雨滴付着判定と明暗判定を行う。車両前方（太陽光等）とＬＥＤの明るさは大きく異なり、従来は、ＬＥＤの発光とカメラの撮像素子の調整が困難であった。しかし、本発明の車両用撮像装置では、ＬＥＤの発する光が明暗判定領域に照射されず、明暗判定領域からの外光等が雨滴付着判定領域に照射されないため、１つの撮像素子で雨滴付着判定と明暗判定を高精度に実現することができる。
【００３３】
なお、拡散板１３は、本発明において必須ではないが、拡散板１３が車両前方の背景を遮断するハードウェアのフィルタとして機能することにより、制御部１７における雨滴付着判定の処理負荷が低くなる。
【００３４】
次に、図１０は、光学案内板である導光体１５を備えた車両用撮像装置を示す図である。図１と共通する構成については同一の符号を付し、その説明を省略する。
【００３５】
図１０において、車両用撮像装置１は、導光体１５がレンズ１２の前方に設置されている。導光体１５は、外部からの光をレンズ１２に導く機能を有する。同図において、導光体１５は、レンズ状の断面形状を示しているが、この形状に限るものではなく、プリズム（台形）状の断面形状であってもよい。
【００３６】
図１１は、導光体１５の機能について説明する図である。図１１（Ａ）に示すように、この例においては、明暗判定領域を中央、左側、および右側の３領域に分割し、左側および右側に導光体１５からの光が入射されるように構成している。この場合、明暗判定領域の左側および右側には、車両上方向の光が入射される。すなわち、同図（Ｂ）に示すように、導光体１５は下方向に凸形状となっているため、レンズ１２に対しては車両前方上方向の光が入射される。その結果、カメラ１１においては、車両前方上方向の画像が撮像される（上下逆さまの像となる）。よって、制御部１７は、車両前方正面と上方向を同時に明暗判定することができ、さらに高精度にオートライト制御を行うことができる。
【００３７】
次に、図１２は、導光体１５の形状が異なる場合の例を示す図である。この例においても明暗判定領域を中央、左側、および右側の３領域に分割し、中央に導光体１５からの光が入射されるように構成している。この場合、明暗判定領域の中央には、車両前方下方向の光が入射される。すなわち、同図（Ｂ）に示すように、導光体１５が上方向に凸形状となっているため、レンズ１２に対しては車両前方下方向の光が入射される。その結果、カメラ１１においては、車両前方下方向の画像が撮像される（上下逆さまの像となる）。この場合、拡散板１３を避けて下方向（路面）の画像を撮像することができる。よって、制御部１７は、車両前方正面および路面の明暗判定を同時に行うことができ、さらに高精度にオートライト制御を行うことができる。
【００３８】
また、図１１や図１２に示した導光体を用いると、トンネルの入り口付近における明暗判定（トンネル有無の判定）をさらに高精度に実現することができる。すなわち、車両前方の正面、上方向、および路面付近の明暗判定を同時に行うことができるため、例えば車両前方の正面が暗く、上方向および路面付近が明るい場合、トンネルに入る直前であると判断することができる。
【００３９】
なお、図１１および図１２に示した導光体を用いる場合、遮光手段は、仕切り１４の形状に限らず、導光体の下部を遮光する程度のものであってもよい。
【符号の説明】
【００４０】
１−レーザレーダ
１１−カメラ
１２−レンズ
１３−拡散板
１４−仕切り
１５−導光体
１６−ＬＥＤ
１７−制御部
【図１】
2010208451.tif 000003
【図５】
2010208451.tif 000004
【図８】
2010208451.tif 000005
【図９】
2010208451.tif 000006
【図１０】
2010208451.tif 000007
【図２】
2010208451.tif 000008
【図３】
2010208451.tif 000009
【図４】
2010208451.tif 000010
【図６】
2010208451.tif 000011
【図７】
2010208451.tif 000012
【図１１】
2010208451.tif 000013
【図１２】
2010208451.tif 000014